(57)【特許請求の範囲】
【請求項１】
液透過性の表面シート、液不透過性の防漏シート及び液保持性の吸収体を備え、実質的に縦長であり、背側部における着用者の胴廻りに位置する胴廻り部に、吸収性物品の幅方向に沿って胴廻り部弾性部材が配されて背側弾性部が形成されている吸収性物品において、
前記背側弾性部は、前記吸収体の両側縁の左右外方に位置する一対の側方弾性部と、一対の該側方弾性部間に位置する中央連絡部とからなり、該側方弾性部には、前記胴廻り部弾性部材が弾性伸縮性を発現するように伸長状態で固定されており、該中央連絡部における前記吸収体が存在する部位には、該胴廻り部弾性部材が弾性伸縮性を発現しない非弾性部が形成されており、
前記背側部における着用者のウエスト廻りに位置するウエスト部に、吸収性物品の幅方向に沿ってウエスト部弾性部材が配されて第２背側弾性部が形成されており、
前記第２背側弾性部は、前記吸収体の両側縁の左右外方に位置する一対の側方弾性部と、一対の該側方弾性部間に位置する中央連絡部とからなり、該側方弾性部には、前記ウエスト部弾性部材が弾性伸縮性を発現するように伸長状態で固定されており、該中央連絡部における、前記吸収体が存在する部位又は該吸収体の長手方向の上方に位置する部位には、該ウエスト部弾性部材が弾性伸縮性を発現しない非弾性部が形成されている吸収性物品。
【請求項２】
前記背側弾性部における前記非弾性部は、前記吸収性物品の幅方向中央部に形成されており、該非弾性部の幅が、前記吸収体の幅の５０％以上２００％以下である請求項１記載の吸収性物品。
【請求項３】
前記背側弾性部の前記側方弾性部における前記胴廻り部弾性部材は、前記吸収性物品の幅方向の内側に位置する端部が、幅方向外側に位置する端部よりも該吸収性物品の長手方向における股下中央寄りに位置するように、湾曲させて配されている請求項１又は２記載の吸収性物品。
【請求項４】
前記背側部の両側縁部に左右一対のおむつ止着用のファスニングテープが設けられており、前記胴廻り部弾性部材の端部が、該ファスニングテープが固定されて形成された固定部に連結されている請求項１〜３の何れかに記載の吸収性物品。
【請求項５】
前記背側部に、立体ガード弾性部材を有するシート材が配されて背側立体ガードが形成されている、請求項１記載の吸収性物品。
【発明の詳細な説明】
【０００１】
【発明の属する技術分野】
本発明は、吸体体によれや型崩れが生じ難く、装着が容易で、フィット性及び漏れ防止性能に優れた使い捨ておむつ等の吸収性物品に関する。
【０００２】
【従来の技術及び発明が解決しようとする課題】
従来、液透過性の表面シート、液不透過性の防漏シート及び液保持性の吸収体を備え、実質的に縦長であり、背側部に、該背側部を幅方向に伸縮させる背側弾性部を有する使い捨ておむつが広く用いられている。
このような使い捨ておむつにおける背側弾性部は、着用者のウエスト廻りに配されるウエスト部や胴廻りに配される胴廻り部に、弾性部材を、前記吸収体を横断するように配設して形成されている。
そのため、このような従来の使い捨ておむつにおいては、吸収体やこれに隣接させて配置されるシート材によれや型崩れが生じ易く、背側部のフィット性や漏れ防止性能、装着の容易性等の点において十分なものではなかった。
【０００３】
従って、本発明の目的は、吸収体やこれに隣接配置されるシート材によれや型崩れが生じ難く、装着が容易で、フィット性及び漏れ防止性能に優れた使い捨ておむつ等の吸収性物品を提供することにある。
【０００４】
【課題を解決するための手段】
本発明は、液透過性の表面シート、液不透過性の防漏シート及び液保持性の吸収体を備え、実質的に縦長であり、背側部における着用者の胴廻りに位置する胴廻り部に、吸収性物品の幅方向に沿って胴廻り部弾性部材が配されて背側弾性部が形成されている吸収性物品において、
前記背側弾性部は、前記吸収体の両側縁の左右外方に位置する一対の側方弾性部と、一対の該側方弾性部間に位置する中央連絡部とからなり、該側方弾性部には、前記胴廻り部弾性部材が弾性伸縮性を発現するように伸長状態で固定されており、該中央連絡部における前記吸収体が存在する部位には、該胴廻り部弾性部材が弾性伸縮性を発現しない非弾性部が形成されており、
前記背側部における着用者のウエスト廻りに位置するウエスト部に、吸収性物品の幅方向に沿ってウエスト部弾性部材が配されて第２背側弾性部が形成されており、
前記第２背側弾性部は、前記吸収体の両側縁の左右外方に位置する一対の側方弾性部と、一対の該側方弾性部間に位置する中央連絡部とからなり、該側方弾性部には、前記ウエスト部弾性部材が弾性伸縮性を発現するように伸長状態で固定されており、該中央連絡部における、前記吸収体が存在する部位又は該吸収体の長手方向の上方に位置する部位には、該ウエスト部弾性部材が弾性伸縮性を発現しない非弾性部が形成されている吸収性物品を提供することにより、上記の目的を達成したものである。
【０００５】
【発明の実施の形態】
以下、本発明を、その好ましい一実施形態に基づいて詳細に説明する。
本実施形態の吸収性物品としての使い捨ておむつ１は、図１に示すように、液透過性の表面シート２、液不透過性の防漏シート３、及び液保持性の吸収体４を備え、実質的に縦長の形態を有し、着用時に着用者の背中側に配される背側部Ａの両側縁部に、左右一対のおむつ止着用のファスニングテープ７１，７１を有する、いわゆる展開型の使い捨ておむつであり、背側部Ａにおける着用者の胴廻りに位置する胴廻り部Ａ１に、おむつの幅方向に沿って複数の胴廻り部弾性部材２１が配されて、前記背側弾性部としての第１背側弾性部１０Ａが形成されている。また、背側部Ａにおける着用者のウエスト廻りに位置するウエスト部Ａ２に、おむつの幅方向に沿って複数のウエスト部弾性部材２２が配されて前記第２背側弾性部としての第２背側弾性部１０Ｂが形成されている。具体的には、胴廻り部Ａ１における、おむつ１の長手方向の左右両側には、それぞれ４本の胴廻り部弾性部材２１，２１・が配されており、ウエスト部Ａ２における、おむつ１の長手方向の左右両側には、それぞれ３本のウエスト部弾性部材２２，２２・が配されている。
【０００６】
表面シート２及び防漏シート３は、それぞれ吸収体４よりも大きい外形寸法を有し、これら両シート２，３間に吸収体４が挟持固定されている。また、防漏シート３の外面には、不織布製の外層シート５が配されている。
防漏シート３は、その両側縁部が吸収体４の両側縁４ａ，４ａよりも左右外方に位置するように延出しており、外層シート５は、その両側縁部が該防漏シート３の両側縁３ａ（一方のみ図示）よりも更に左右外方に位置するように延出している。
【０００７】
吸収体４は、使い捨ておむつ１を平面状に拡げた状態（以下、緊張状態という）において、略矩形状の縦長形状をなしており、おむつの長手方向の両側に、該吸収体４の左右の両側部を覆うように、左右一対の立体ガード６，６が設けられている。
各立体ガード６は、弾性部材６１を有するシート材６２を配して形成されており、各立体ガード６の自由端縁６３は、その基端（図示せず）よりも、おむつ１の長手方向に延びる中央部Ｃ寄りに位置し、該基端は、シート材６２を、吸収体４の上方において表面シート２に接着固定して形成されている。両シート材６２それぞれは、自由端縁６３とは反対側の端縁が吸収体４の側縁４ａよりも外方に位置するように延出しており、その延出部分が、防漏シート３及び外層シート５に貼り合わされ、おむつ１の左右両側部に一対のサイドフラップ部７，７が形成されている。
【０００８】
また、着用時に着用者の腹側に配される腹側部Ｂの外表面におけるほぼ中央部には、ファスニングテープ７１を固定するランディングテープ（図示せず）が設けられている。
ここで、ファスニングテープ７１としては、通常のテープ基材上に、通常の粘着剤が塗布されて止着部７１ａが形成されてなるテープや、「マジックテープ」（商品名、クラレ社製）等の機械的ファスナーのオス部材が配されて止着部７１ａが形成されてなるテープ等が用いられる。また、ランディングテープとしては、前記止着部７１ａが前記粘着部により形成されている場合には、通常の剥離処理が施されてなるテープが用いられ、前記止着部７１ａが前記オス部材により形成されている場合には、通常の機械的ファスナーのメス部材や係合性に富む不織布等が用いられる。尚、表面シート２、防漏シート３、吸収体４、外層シート５、弾性部材６１及びシート材６２の形成材料としては、通常公知の材料を特に制限なく用いることができる。
【０００９】
而して、本使い捨ておむつにおいて、第１背側弾性部１０Ａ及び第２背側弾性部１０Ｂは、図２に示すように、それぞれ、吸収体４の両側縁４ａ，４ａの左右外方に位置する一対の側方弾性部１１，１１と、一対の該側方弾性部１１，１１間に位置する中央連絡部１２とからなり、第１背側弾性部１０Ａにおける側方弾性部１１には、複数の胴廻り部弾性部材２１が、それぞれ弾性伸縮性を発現するように伸長状態で固定されており、第２背側弾性部１０Ｂにおける側方弾性部１１には、複数のウエスト部弾性部材２２が、それぞれ弾性伸縮性を発現するように伸長状態で固定されている。
【００１０】
ここで、吸収体の両側縁の左右外方とは、両側縁をおむつの長手方向に延長した延長線の左右外方をも含む意味であり、側方弾性部とは、弾性部材が弾性伸縮性を発現するように伸長状態で固定されている領域で且つ吸収体の両側縁の左右外方に位置する領域を意味する。また、ウエスト部Ａ２とは、おむつ着用時に着用者のウエスト廻りに配される部分であり、通常、おむつの長手方向端部から、おむつ全長の１０％以内の範囲内を意味し、より好ましくは７％以内の範囲内である。また、胴廻り部Ａ１とは、おむつ着用時に着用者の胴廻り（下腹部）に位置する部分であり、ウエスト部Ａ２の下端からおむつ全長の２５％程度の範囲内（この程度の巾の帯状の領域）である。
【００１１】
側方弾性部１１における胴廻り部弾性部材２１は、図１に示すように、おむつ１の幅方向の内側に位置する端部が、幅方向外側に位置する端部よりも、おむつの長手方向における股下中央Ｄ寄りに位置するように、湾曲させて配されている。胴廻り部弾性部材２１を、このように湾曲させて配することにより、脚廻りのフィット性を向上させることができる。但し、吸収体４の撓みによる漏れを防止する観点から、おむつの長手方向における最も股下中央Ｄ寄りに位置する胴廻り部弾性部材２１の幅方向内側の端部が、該股下中央Ｄからおむつ全長の２０％以上離れていることが好ましい。即ち、胴廻り部弾性部材２１の端部と股下中央Ｄとの距離Ｌが、おむつ全長の２０％以上あることが好ましい。
【００１２】
胴廻り部弾性部材２１，２１・は、側方弾性部１１においては、弾性部材固定用の補助シート２３と防漏シート３又は外層シート５との間に、伸張状態で挟持固定されており、中央連絡部１２においては、表面シート２と吸収体４の間に固定されずに自然状態で配されている。また、ウエスト部弾性部材２２，２２・は、側方弾性部１１においては、シート材６２と防漏シート３又は外層シート５との間に、伸張状態で挟持固定されており、中央連絡部１２においては、表面シート２と防漏シート３との間に固定されずに自然状態で配されている。
【００１３】
第１背側弾性部１０Ａの中央連絡部１２における吸収体４が存在する部位には、該胴廻り部弾性部材２１が弾性伸縮性を発現しない非弾性部１２Ａが形成されており、第１背側弾性部１０Ｂの中央連絡部１２における、吸収体４の長手方向の上方に位置する部位には、ウエスト部弾性部材２２が、弾性伸縮性を発現しない非弾性部１０Ｂが形成されている。
【００１４】
具体的には、両弾性部材２１，２２それぞれのおむつ１の幅方向外側の端部２１ａ，２２ａ及び中央部２１ｃ，２２ｃは、おむつの構成部材に伸長状態で固定されて、側方弾性部１１に弾性伸縮性を付与しているが、両弾性部材２１，２２のおむつの幅方向中央Ｃ側の端部２１ｂ，２２ｂは、弾性伸縮性を発現しないように配されている。そして、弾性部材２１，２２の端部２１ｂ，２２ｂが弾性伸縮性を発現しないように配されている部分と、吸収体の幅方向中央部の、弾性部材が配されていない部分とにより、胴廻り部Ａ１及びウエスト部Ａ２それぞれにおける中央連絡部１２の吸収体４が存在する部位に、弾性部材２１，２２が弾性伸縮性を発現しない非弾性部１２Ａ，１２Ｂが形成されている。
【００１５】
本発明において、「弾性部材が弾性伸縮性を発現しない」とは、(1) その部分に弾性部材が配されていないために、弾性伸縮性が発現されない場合、(2) 弾性部材が配されているが、固定されずに自然状態で配されているため、弾性伸縮性が発現されない場合、及び(3) 弾性部材が弾性伸縮不可能な状態で固定されているため、弾性伸縮性が発現されない場合の何れもが含まれるが、本実施形態における非弾性部１２Ａ，１２Ｂは、上述の通り、上記(1) により弾性伸縮性を発現しない部分と、上記(2) により弾性伸縮性を発現しない部分とからなる。
【００１６】
本実施形態における非弾性部１２Ａ，１２Ｂは、おむつの幅方向中央部に形成されている。両非弾性部１２Ａ，１２Ｂの幅Ｗ１（図２参照）は、吸収体の撓みやよれを防止し、装着時のフィット性及び漏れ防止性能を向上させる点から、それぞれ、吸収体４の幅Ｗ２の５０％以上２００％以下であることが好ましく、特に９０％以上１５０％以下であることが好ましい。
【００１７】
本実施形態のおむつ１においては、このように、中央連絡部１２に非弾性部１２Ａ，１２Ｂが形成されているため、着用時においても、吸収体の幅方向中央部近傍が実質的に撓まない。
【００１８】
尚、本実施形態における両弾性部材２１，２２は、側方弾性部１１と非弾性部１２とに跨るように配されているが、両弾性部材２１，２２における、吸収体４が存在する部位又は吸収体４の長手方向の上方に位置する部位に配された端部２１ｂ，２２ｂは、それぞれ弾性伸縮性を発現しない態様で配されているため、吸収体４や、該吸収体４に隣接するシート材等によれや型崩れを生じさせない。
【００１９】
吸収体４や該吸収体４に隣接するシート材に、よれや型崩れを生じさせない観点から、一対の側方弾性部１１，１１は、両立体ガード６の基端よりも左右外方に位置していることが好ましい。即ち、両基端よりも内側には、弾性部材が伸長状態で固定されていないことが好ましい。斯かる構成により、吸収体４の両側縁４ａ，４ａが該基部よりも内方に位置する場合における、漏れの発生を特に効果的に防止することができる。
尚、第１及び第２の両背側弾性部における各弾性部材２１，２２は、それぞれおむつ１の長手方向に延びる中心線に対して対称に配されている。
【００２０】
また、胴廻り部弾性部材２１及びウエスト部弾性部材２２は、それぞれ、おむつの幅方向外側の端部２１ａ，２２ａが、背側部Ａの側部にファスニングテープ７１が固定されて形成された固定部７１ｂに連結されている。即ち、胴廻り部弾性部材２１，２１・及びウエスト部弾性部材２２，２２・それぞれの端部２１ａ，２２ａは、固定部７１ｂにおいて、該ファスニングテープ７１のテープ基材と前記シート材６２との間に挟持固定されている。
【００２１】
ここで、胴廻り部弾性部材２１及びウエスト部弾性部材２２としては、それぞれ糸ゴムの様な線状のものの他、幅広の帯状（平ゴム含む）、薄膜状のもの、更にはフォーム材等を用いることができ、両弾性部材の形成素材としては、それぞれ、天然ゴムの他、スチレン−ブタジエン、ブタジエン、イソプレン、ネオプレン等の合成ゴム、ＥＶＡ、伸縮性ポリオレフィン、ウレタン等の伸縮性の素材を特に制限なく用いることができる。
【００２２】
本実施形態の使い捨ておむつ１の製造方法は、特に制限されるものではないが、例えば次の吸収性物品の製造方法により効率的に製造することができる。
即ち、供給固定工程、該供給固定工程後の切断工程及び該切断工程後の配置工程を具備する吸収性物品の製造方法であって、前記供給固定工程においては、背側部Ａを構成するシート材に、前記弾性部材２１，２２を伸長状態で供給し、該弾性部材２１，２２の一部を該シート材に固定する。そして、前記切断工程において、該弾性部材２１，２２を、該シート材に固定されていない部分において切断する。そして、前記配置工程において、該弾性部材２１，２２が固定された該シート材を吸収性物品の所定箇所に配置して、吸収性物品を得る。
【００２３】
尚、前記シート材とは、背側部Ａの一部を形成するシート材であり、例えば、表面シート２や防漏シート３、外層シート５又はこれらが複数積層されてなる積層シートである。そして、供給固定工程において該シート材に固定する一部とは、弾性部材２１，２２の中央部２１ｃ，２２ｃ及びおむつ幅方向外側の端部２１ａ，２２ａであり、切断工程において切断する該シート材に固定されていない部分とは、弾性部材２１，２２のおむつの中央部Ｃ側の端部２１ｂ，２２ｂとなる部分である。斯かる吸収性物品の製造方法によれば、上記実施形態の使い捨ておむつを効率的に生産することができる。製造方法に関して、特に説明しない点は、従来の吸収性物品の製造と同様に、あるいは従来の吸収性物品の製造における各工程に準じて行うことができる。例えば、配置工程は、特開平10-179635 に記載の方法に準じて行うことができる。
【００２４】
本実施形態の使い捨ておむつ１は、通常の展開型の使い捨ておむつと同様にして使用することができる。
本実施形態の使い捨ておむつ１は、胴廻り部Ａ１に幅方向の伸縮性を与える第１背側弾性部１０Ａが、一対の側方弾性部１１，１１と、中央連絡部１２とからなり、中央連絡部１２が非弾性部１２Ａを有するため、弾性部材の縮み応力による吸収体４やこれに隣接配置されるシート材等によれや型崩れが生じることが効果的に防止される。
【００２５】
また、着用時に背側部が着用者の臀部の形状に沿って良好にフィットするため、従来のおむつにおけるような、背側部のたるみがなくなり、すっきりとした外観となる。これにより、オーバーパンツ等の着衣をおむつの上に履かせても、すっきりとした外観となり、また、装着感や漏れ防止性も向上している。
更に、おむつを装着する際に、背側部Ａが平面状に拡がり易いので、着用者への装着が極めて容易である。
【００２６】
また、ウエスト部に形成された第２背側弾性部１０Ｂにも同様の態様でウエスト部弾性部材２２が配されているため、よりフィット性及び防漏性に優れている。
【００２７】
また、胴廻り部弾性部材２１及びウエスト弾性部材２２が、それぞれファスニングテープ７１を固定して形成された固定部７１ｂに連結されているため、着用者の臀部におけるフィット性及び装着容易性が一段と向上している。
【００２８】
尚、本発明の使い捨ておむつは、上述の形態に制限されるものではなく、本発明の趣旨を逸脱しない範囲で種々変更が可能である。
例えば、本発明の効果を阻害しない範囲内において、背側部Ａに他の弾性部材を配しても良い。
【００２９】
図５は、本発明の他の実施形態を示すもので、背側部Ａに、立体ガード弾性部材８１を有するシート材８２が配されて背側立体ガード８が形成されており、該立体ガード弾性部材８１は、吸収体４を幅方向に横断するように配され、該吸収体４を横断する部位において、実質的に表面シート２から離間している、展開型の使い捨ておむつである。ここで、「実質的に離間」とは、表面シート２に、ギャザーやよれ等を形成しない程度に接触しても良いことを意味する。
【００３０】
図５に示すおむつにおける前記立体ガード弾性部材８１，８１の両端部は、それぞれ、背側部Ａの側部にファスニングテープ７１を固定して形成された固定部７１ｂに連結されている。ここで、立体ガード弾性部材８１としては、胴廻り部弾性部材２１又はウエスト部弾性部材２２に用いられるものと同様のものを特に制限なく用いることができる。
【００３１】
斯かる使い捨ておむつによれば、背側部Ａに背側立体ガード８が形成されており、且つ立体ガード弾性部材８１が実質的に表面シート２から離間しているため、吸収体４や該吸収体４に隣接するシート材によれや型崩れ等を生じさせることなく、背側部Ａに十分な伸縮性が得られ、優れたフィット性及び防漏性が得られる。
【００３２】
また、上記実施形態における第１及び第２背側弾性部１０Ａ，１０Ｂの中央連絡部１２は、それぞれ、おむつ幅方向の全領域が非弾性部１２Ａ，１２Ｂであるが、それぞれ、幅方向の一部のみが非弾性部であっても良い。また、胴回り部弾性部材２１及びウエスト部弾性部材２２それぞれは、吸収体の両側縁の外方に位置する部分に弾性伸縮性を発現しない部分を有していても良く、吸収体の両側縁の内方に位置する部分に弾性伸縮性を発現する部分を有していても良い。また、第１及び第２背側弾性部１０Ａ，１０Ｂに配する胴廻り部弾性部材２１及びウエスト部弾性部材２２は、それぞれ、複数本であっても一本であっても良い。本発明は、赤ん坊や成人用の使い捨ておむつの他、失禁パットや生理用ナプキン等に適用することもできる。
【００３３】
【発明の効果】
本発明の吸収性物品は、吸収体やこれに隣接するシート材等によれや型崩れが生じ難く、装着が容易で、フィット性及び漏れ防止性能に優れたものである。
【図面の簡単な説明】
【図１】図１は、本発明の一実施形態としての使い捨ておむつを、緊張状態において表面シート側から視た一部切欠平面図である。
【図２】図２は、図１の使い捨ておむつの要部を模式的に示す拡大説明図である。
【図３】図３は、図１のＸ−Ｘ線断面図である。
【図４】図４は、図１のＹ−Ｙ線断面図である。
【図５】図５は、本発明の他の実施形態の使い捨ておむつの要部を示す断面図で、図５（ａ）は図３相当図であり、図５（ｂ）は図４相当図である。
【符号の説明】
１    吸収性物品（使い捨ておむつ）
２    表面シート
３    防漏シート
４    吸収体
５    外層シート
８    背側立体ガード
１０Ａ  第１背側弾性部（背側弾性部）
１０Ｂ  第２背側弾性部（第２背側弾性部）
１１  側方弾性部
１２  中央連絡部
１２Ａ，１２Ｂ  非弾性部
２１  胴廻り部弾性部材
２２  ウエスト弾性部材
Ａ    背側部
Ａ１  胴廻り部
Ａ２  ウエスト部
Ｂ    腹側部
【図１】
0003948870.tif 000002
【図２】
0003948870.tif 000003
【図３】
0003948870.tif 000004
【図４】
0003948870.tif 000005
【図５】
0003948870.tif 000006